(57)【特許請求の範囲】
【請求項１】
ディーゼルエンジンの排気経路に直列に配置された高段側タービンおよび低段側タービンと、上記エンジンの吸気経路に直列に配置され上記各タービンによって夫々駆動される高段側コンプレッサおよび低段側コンプレッサと、上記排気経路に上記高段側タービンをバイパスするように接続されたバイパス通路と、該バイパス通路に設けられた排気バイパス弁と、該排気バイパス弁の開度を制御する制御部とを備え、該制御部は、少なくともエンジン全負荷運転領域において、上記排気バイパス弁を、エンジンの最大トルク点までは全閉若しくはそれに近い状態とし、最大トルク点から最高出力点までの間では徐々に開度を広げ、最高出力点では全開若しくはそれに近い状態に制御するものであることを特徴とするディーゼルエンジンのターボチャージャーシステム。
【請求項２】
上記制御部は、上記排気バイパス弁の開度制御を、エンジン回転数に基いて行うものである請求項１記載のディーゼルエンジンのターボチャージャーシステム。
【請求項３】
上記制御部は、上記排気バイパス弁の開度調節を、高段側コンプレッサにおいてはエンジン最大トルク点付近の圧力比が最高出力点付近の圧力比より大きくなるように且つ低段側コンプレッサにおいてはエンジン最高出力点付近の圧力比が最大トルク点付近の圧力比より大きくなるように、制御するものである請求項１乃至２記載のディーゼルエンジンのターボチャージャーシステム。
【請求項４】
上記制御部は、上記排気バイパス弁の開度調節を、エンジンの最高出力点付近において、低段側コンプレッサの圧力比が高段側コンプレッサの圧力比より大きくなるように、制御するものである請求項１乃至３記載のディーゼルエンジンのターボチャージャーシステム。
【請求項５】
上記制御部は、上記排気バイパス弁の開度調節を、エンジンの最大トルク点付近において、高段側コンプレッサの圧力比が低段側コンプレッサの圧力比以上となるように、制御するものである請求項１乃至４記載のディーゼルエンジンのターボチャージャーシステム。
【請求項６】
上記請求項１乃至５記載のディーゼルエンジンのターボチャージャーシステムが有する高段側および低段側コンプレッサは、高段側コンプレッサが低段側コンプレッサよりも最高圧力比が低く且つ最大流量に対する高効率流量範囲の割合が大きい特性を有するものであるディーゼルエンジンのターボチャージャーシステム。
【請求項７】
上記請求項１乃至６記載のディーゼルエンジンのターボチャージャーシステムは、上記バイパス弁の開度調節のみによって過給圧制御を行うものであるディーゼルエンジンのターボチャージャーシステム。
【発明の詳細な説明】
【０００１】
【発明の属する技術分野】
本発明は、簡単な構造および制御によって、高出力化と燃費向上との両立を図ったディーゼルエンジンのターボチャージャーシステムに関する。
【０００２】
【従来の技術】
ディーゼルエンジンは、ガソリンエンジンのように出力調整のための吸入空気量制限を行わないため、ターボチャージャーとの相性がよい。ディーゼルエンジンのターボチャージャーシステムの典型例（１段ターボ）を図５に示す。
【０００３】
図５に示すように、このターボチャージャーシステムは、ディーゼルエンジンａの吸気経路ｂの途中に介設されたコンプレッサｃと、排気経路ｄの途中に介設されたタービンｅと、コンプレッサｃとタービンｅとを接続する回転軸ｆとを備えており、排気ガスによって駆動されるタービンｅの回転力を回転軸ｆを介してコンプレッサｃに伝達し、吸気を加圧（過給）してエンジンａに導くものである。なお、コンプレッサｃとエンジンａとの間に設けられたアフタークーラｇは必ずしも必要なものではない。
【０００４】
かかるシステムにおいては、エンジン回転数の上昇に伴って排気ガス流量が増加すると、タービンｅの回転数が高まって同時にコンプレッサｃの回転数が高まるため、エンジンａに対する過給圧が過剰となる場合がある。このため、排気通路ｄにタービンｅをバイパスするバイパス通路ｈを接続し、バイパス通路ｈに排気バイパス弁ｉを設け、過給圧が所定圧以上になったときには、排気バイパス弁ｉを開いて排気ガスの一部をタービンｅを通過させずにバイパス通路ｈを介して逃がすことにより、タービンｅの回転数即ちコンプレッサｃの回転数を抑え、過給圧を制限する過給圧制御を行っている。
【０００５】
図６は、上記ターボチャージャーシステムにおけるコンプレッサｃの特性マップに、エンジン全負荷にて運転したときの作動線を表した図である。図中、ｊはサージ限界線、ｋは最高回転限界線、ｌはエンジンの最大トルク点、ｍはエンジンの最高出力点、ｎはコンプレッサの最高効率点、多重円ｏはコンプレッサｃの等効率線である。図示するように、エンジン全負荷時には、エンジンａが最大トルク点ｌとなるエンジン回転数までは排気バイパス弁ｉを閉じておき、それ以上エンジン回転数が上昇したならば徐々に排気バイパス弁ｉを開き過給圧制御を行う。
【０００６】
ここで、図６における縦軸の圧力比および横軸の修正流量は、
圧力比＝コンプレッサ出口全圧／コンプレッサ入口全圧
修正流量＝（実測流量×（入口温度／参考温度）0.5 ）／（入口圧力／参考圧力）
参考温度＝２０℃（補正用の基準値）
参考圧力＝大気圧（補正用の基準値）
と定義される。
【０００７】
【発明が解決しようとする課題】
ところで、上記ターボチャージャーシステムにおいて、エンジンａの出力およびトルクの向上を図る場合、タービンｅをチューニングすることにより同一排気ガス流量（＝同一エンジン回転数）におけるタービン回転数を高めてコンプレッサｃの回転数を向上させ、図６にてコンプレッサｃの圧力比の高い領域に作動線を持って来る手法が考えられる。しかし、かかる圧力比の高い領域は、効率の悪い領域でもあるため、その領域に作動線を持ってくることは燃費の悪化に繋がる。
【０００８】
すなわち、上述の如く圧力比を高めてコンプレッサｃの効率が低い領域を使用すると、吸気圧（過給圧）を上げるためにより多くの仕事（回転軸ｆのトルク）をタービンｅに要求することになり、これにより排気ガスが出口詰りの状態となって排気圧が上昇し、図８に示すように、吸気圧が排気圧より高まらずにポンピングロス（ハッチング部）が発生し、燃費が悪化するのである。なお、ここで、吸気圧とはコンプレッサｃの下流側の圧力をいい、排気圧とはタービンｅの上流側の圧力をいう。
【０００９】
また、エンジンａの出力およびトルクを抑えてコンプレッサｃの圧力比の低い領域を使用したとしても、遠心式コンプレッサｃはその構造上の理由から高効率領域が狭い流量範囲に限られるのに対して自動車用エンジンａは回転範囲が広く排気ガスの流量範囲が広いため、作動線の一部が効率の低い領域を通過せざるを得ない。よって、前段で述べた理由により、燃費が良い範囲が限定され、全体的な燃費向上を図ることが困難であった。
【００１０】
なお、燃費向上を図ったターボチャージャーシステムとして、排気ガス流量の変動に応じてタービン容量を変化させてターボの回転数を調節することにより、コンプレッサを出来るだけ効率の良い領域で使用するようにした所謂可変容量ターボチャージャーも知られているが、タービンを可変容量とするための絞り損失、排気圧の上昇、可変幅の限界等の理由から、大きな燃費向上は望めない、また、タービンを可変容量とするためには複雑な機構が必要となるためコストアップが避けられない。
【００１１】
また、エンジンの吸排気系に特性の異なる２個のターボチャージャーを直列に２段配置し、各段のターボのコンプレッサとタービンとに夫々バイパス通路およびバイパス弁を設け、エンジンの運転状態に応じて各バイパス弁を適宜開閉していずれかのターボに切り換えて使用するものも提案されているが、各ターボを完全に切り換えることを前提としており、一方のターボが作動しているときには他方のターボは基本的に停止しているため、切り換えのタイミング制御が難しく、制御が複雑になる。すなわち、直列に２段配置された各ターボを常に併用しつつ効率よく過給を行う技術は開発されておらず、改善の余地が残されている。
【００１２】
以上の事情を考慮して創案された本発明の目的は、簡単な構造および制御により、高出力・高トルク化と燃費向上との両立を図ったディーゼルエンジンのターボチャージャーシステムを提供することにある。
【００１３】
【課題を解決するための手段】
上記目的を達成すべく本発明に係るディーゼルエンジンのターボチャージャーシステムは、ディーゼルエンジンの排気経路に直列に配置された高段側タービンおよび低段側タービンと、上記エンジンの吸気経路に直列に配置され上記各タービンによって夫々駆動される高段側コンプレッサおよび低段側コンプレッサと、上記排気経路に上記高段側タービンをバイパスするように接続されたバイパス通路と、該バイパス通路に設けられた排気バイパス弁と、該排気バイパス弁の開度を制御する制御部とを備え、該制御部は、少なくともエンジン全負荷運転領域において、上記排気バイパス弁を、エンジンの最大トルク点までは全閉若しくはそれに近い状態とし、最大トルク点から最高出力点までの間では徐々に開度を広げ、最高出力点では全開若しくはそれに近い状態に制御するものである。
【００１４】
また、上記制御部は、上記排気バイパス弁の開度制御を、エンジン回転数に基いて行うものであってもよい。
【００１５】
また、上記制御部は、上記排気バイパス弁の開度調節を、高段側コンプレッサにおいてはエンジン最大トルク点付近の圧力比が最高出力点付近の圧力比より大きくなるように且つ低段側コンプレッサにおいてはエンジン最高出力点付近の圧力比が最大トルク点付近の圧力比より大きくなるように、制御するものであってもよい。
【００１６】
また、上記制御部は、上記排気バイパス弁の開度調節を、エンジンの最高出力点付近において、低段側コンプレッサの圧力比が高段側コンプレッサの圧力比より大きくなるように、制御するものであってもよい。
【００１７】
また、上記制御部は、上記排気バイパス弁の開度調節を、エンジンの最大トルク点付近において、高段側コンプレッサの圧力比が低段側コンプレッサの圧力比以上となるように、制御するものであってもよい。
【００１８】
また、上記各ディーゼルエンジンのターボチャージャーシステムが有する高段側コンプレッサおよび低段側コンプレッサは、高段側コンプレッサが低段側コンプレッサよりも最高圧力比が低く且つ最大流量に対する高効率流量範囲の割合が大きい特性を有するものであってもよい。
【００１９】
また、上記各ディーゼルエンジンのターボチャージャーシステムは、上記バイパス弁の開度調節のみによって過給圧制御を行うものであってもよい。
【００２０】
【発明の実施の形態】
本発明の一実施形態を添付図面に基いて説明する。
【００２１】
図１は本実施形態に係るディーゼルエンジンのターボチャージャーシステムの概要を示す説明図である。
【００２２】
図示するように、ディーゼルエンジン１の排気経路２には、高段側タービン３と低段側タービン４とが排気ガスの流れ方向に間隔を隔てて直列に介設されており、エンジン１の吸気経路５には、高段側コンプレッサ６と低段側コンプレッサ７とが吸入空気の流れ方向に間隔を隔てて直列に介設されている。高段側コンプレッサ６と高段側タービン３とは回転軸８で連結されて高段側ターボ９を構成し、低段側コンプレッサ７と低段側タービン４とは回転軸１０で連結されて低段側ターボ１１を構成する。
【００２３】
図２(a),(b) に示すように、低段側ターボ１１は高段側ターボ９よりも大容量である。すなわち、図２(b) に示す低段側コンプレッサ７の修正流量は、図２(a) に示す高段側コンプレッサ６の修正流量よりも大きい。また、高段側コンプレッサ６は、最高圧力比が低段側コンプレッサ７よりも低く、対応する修正流量に対して効率がよい流量範囲が広い特性を有し、低段側コンプレッサ７は、最高圧力比が高段側コンプレッサ６よりも高く、対応する修正流量に対して効率がよい流量領域が狭い特性を有する。すなわち、高段側コンプレッサ６は、低段側コンプレッサ７よりも最高圧力比が低く且つ修正流量の最大値に対する高効率流量範囲の割合が大きい特性を有する。
【００２４】
上記各ターボ９、１１に用いられる遠心式コンプレッサ６、７は、その構造上の理由から、圧力比を高くすると効率が良い領域が狭くなり、効率がよい領域を広くすると圧力比が高く出来ないという性質があるため、これを踏まえて、本実施形態では、高段側コンプレッサ６に、圧力比を低く抑えて効率の良い領域を広く特化したものを使用し、低段側コンプレッサ７に、圧力比を高めて効率の良い領域を狭く特化したものを使用しているのである。
【００２５】
図２(a),(b) において、１２はサージ限界線、１３は最高回転限界線、１４はエンジンの最大トルク点、１５はエンジンの最高出力点、１６はコンプレッサの最高効率点、多重円１７はコンプレッサの等効率線である。また、圧力比、修正流量については前記「従来の技術」の欄で述べたように、
圧力比＝コンプレッサ出口全圧／コンプレッサ入口全圧
修正流量＝（実測流量×（入口温度／参考温度）0.5 ）／（入口圧力／参考圧力）
参考温度＝２０℃（補正用の基準値）
参考圧力＝大気圧（補正用の基準値）
と定義される。
【００２６】
高段側コンプレッサ６と低段側コンプレッサ７との間の吸気経路５には、インタークーラ１８が介設されており、高段側コンプレッサ６とエンジン１との間の吸気経路５には、アフタークーラ１９が介設されている。なお、これらインタークーラ１８とアフタークーラ１９とは、圧縮によって昇温した吸入空気を冷却するものであるが、発明の構成上必ずしも必要なものではなく、いずれか一方のみでもよく、また双方ともなくてもかまわない。
【００２７】
排気経路２には、上記高段側タービン３をバイパスするように、高段側タービン３の上流側と下流側とに接続されたバイパス通路２０が、設けられている。バイパス通路２０には、排気バイパス弁２１が介設されている。排気バイパス弁２１は、バイパス通路２０内を流れる排気ガスの流量を調節（ 0〜100 ％）するものである。排気バイパス弁２１の開度は、制御部２２によって制御される。
【００２８】
制御部２２は、排気バイパス弁２１を、少なくともエンジン１の全負荷時、次のように開度調節する。▲１▼エンジン１の最大トルク点１４までは排気バイパス弁２１を全閉若しくはそれに近い状態とし、▲２▼エンジン１の最大トルク点１４から最高出力点１５までの間では排気バイパス弁２１の開度を徐々に広げ、▲３▼エンジン１の最高出力点１５では排気バイパス弁２１を全開若しくはそれに近い状態に制御する。
【００２９】
ここで、排気バイパス弁２１の開度制御は、少なくともエンジン１の全負荷時に行うものなので、中負荷時や低負荷時にも併せて行ってもよい。また、「排気バイパス弁２１の開度を徐々に広げ」とは、必ずしも無段階に開くことを意味するものではなく、段階的に開いてもよい。かかる排気バイパス弁２１の開度制御により、各段のコンプレッサ６、７の作動線２３、２４は、図２(a),(b) に示す如きとなり、最大トルク点１４から最高出力点１５までにて、効率の高い領域を通過する。
【００３０】
すなわち、制御部２２は、排気バイパス弁２１の開度調節を、高段側コンプレッサ６においてはエンジン最大トルク点１４付近の圧力比が最高出力点１５付近の圧力比より大きくなるように且つ低段側コンプレッサ７においてはエンジン最高出力点１５付近の圧力比が最大トルク点１４付近の圧力比より大きくなるように、制御する。また、制御部２２は、排気バイパス弁２１の開度調節を、エンジン１の最高出力点１５付近において、低段側コンプレッサ７の圧力比が高段側コンプレッサ６の圧力比より大きくなるように、制御する。また、制御部２２は、排気バイパス弁２１の開度調節を、エンジン１の最大トルク点１４付近において、高段側コンプレッサ６の圧力比が低段側コンプレッサ７の圧力比以上となるように、制御する。
【００３１】
なお、エンジン１の全負荷時に、排気バイパス弁２１を全開とした場合であっても、高段側タービン３の上流と下流とには所定の圧力差が確保されるように、バイパス通路２０の通路内径が排気通路２の通路内径よりも絞られており、高段側タービン３が多少駆動されるようになっている。高段側タービン３の上流と下流との圧力差がなくなると、高段側タービン３が排気エネルギで駆動されず、高段側コンプレッサ６が抵抗となってしまうからである。また、ここでいうエンジン全負荷時における排気バイパス弁２１の全開は、上述のように高段側タービン３の上流と下流とには所定の圧力差が確保される開度を上限として定義してもよい。
【００３２】
制御部２２は、排気バイパス弁２１の開度調節を行う際の基準となるエンジン１の最大トルク点１４および最高出力点１５の検出を、図１に示すエンジン回転センサ２５から出力されたエンジン回転数に基いて行う。すなわち、予め、エンジン１の全負荷時に、エンジン１が最大トルクを発生するエンジン回転数と、エンジン１が最高出力を発生するエンジン回転数とを求めておき、それら各エンジン回転数をエンジン回転センサ２５が検出したとき、制御部２２は夫々エンジンの最大トルク点１４と最高出力点１５とであると判断する。
【００３３】
このような、排気バイパス弁２１の開度制御と各段ターボ９、１１（コンプレッサ６、７）の特性の選択とにより、図２(a),(b) に示すように、エンジン１の全負荷時、各段のコンプレッサ６、７の作動線２３、２４が最大トルク点１４から最高出力点１５にかけて夫々効率の良い領域を通過する。すなわち、エンジン全負荷時の最大トルク点１４に至るまでは、排気バイパス弁２１が閉じられているため、エンジン回転数の上昇に伴い各段のコンプレッサ６、７はともに圧力比が上昇していく。
【００３４】
そして、エンジン１が全負荷時の最大トルク点１４に至ると、排気バイパス弁２１が開き始めるため、エンジン回転数の上昇と共に高段側コンプレッサ６の圧力比が下がっていき、さらにエンジン回転数が上昇してエンジン１が最高出力点１５に至ると、排気バイパス弁２１が全開となるため、高段側コンプレッサ６の圧力比がそれ以上上がることが抑制される。この結果、図２(a) に示すように、高段側コンプレッサ６の作動線２３は、低段側コンプレッサ７に比べ最高圧力比が低く且つ対応する最大の修正流量に比して高効率領域が広い（高さが低く裾が広い形状の山）特性を有する高段側コンプレッサ６の高効率領域を、右下がりに通過する。
【００３５】
また、低段側コンプレッサ７においては、エンジン１が全負荷時の最大トルク点１４に至った以降、エンジン回転数が上昇するに伴い、エンジン最高出力点１５まで圧力比が上がっていく。この結果、図２(b) に示すように、低段側コンプレッサ７の作動線２４は、高段側コンプレッサ６に比べ最高圧力比が高く且つ対応する最大の修正流量に比して高効率領域が狭い（高さが高く裾が狭い形状の山）特性を有する低段側コンプレッサ７の高効率領域を、右上がりに通過する。
【００３６】
このように、特性の異なる各段のコンプレッサ６、７の高効率領域をそれぞれ作動線２３、２４が通過するので、エンジン１の高トルク・高出力を発生と低燃費の実現とを両立できる。すなわち、図５および図６に示す１段ターボの場合には、圧力比と高効率領域の作動流量とのバランスのとれた、いわば双方に妥協した特性のコンプレッサを用いているので、逆からいえば、エンジン全負荷時の最大トルク点ｌから最高出力点ｍにかけて、圧力比も効率も高く出来ないといえる。
【００３７】
これに対して本実施形態では、図６のものと比べ、高段側コンプレッサ６に最高圧力比が低く高効率領域が広い特性のものを用い、低段側コンプレッサ７に最高圧力比が高く高効率領域が狭い特性のものを用い、すなわち各段とも特化した特性のコンプレッサ６、７を用い、エンジン全負荷時の最大トルク点１４から最高出力点１５にかけてそれら特化したコンプレッサ６、７について夫々高効率の領域を作動線２３、２４が通過するように排気バイパス弁２１を作動させているので、エンジン１の高出力・高トルクと低燃費とを両立できるのである。
【００３８】
以上については、次のようにも考えられる。ディーゼルエンジン１は、一般的には、出力調整のために吸気絞りを行わないため、排気ガスの流量は出力の大小に拘らず略エンジン回転数に比例して増加する。このため、低段側コンプレッサ７の特性を図２(b) に示すように右肩上がりの鋭い山の特性として、これを排気バイパスすることなく常にメインとして用い、作動流量に比例してすなわちエンジン回転数に比例して圧力比を上げ、その右肩上がりの領域の効率が高い特性によってエンジン回転数の大小に拘らず基本的な効率向上を図っている。
【００３９】
他方、高段側コンプレッサ６については、図２(a) に示すように比較的平たい鈍い山の特性のものを用い、エンジン１の最大トルク点１４から最高出力点１５にかけて過剰過給の原因となる過剰な排気ガスをバイパス弁２１にてバイパスすることによる流量変動を、その広い高効率領域によって高効率でカバーしている。これにより、エンジン１の最大トルク点１４から最高出力点１５にかけての過給圧制御時（排気バイパス弁２１の開放時）に生じる修正流量の変動を、その広い高効率領域によってカバーし、過給圧制御時における効率向上を図っている。
【００４０】
このように、本実施形態は、圧力比と修正流量との特性が特化された各段のコンプレッサ６、７について、排気バイパス弁２１の制御によってエンジン全負荷時における最大トルク点１４から最高出力点１５にかけて、夫々高効率領域を作動線２３、２４が通過するようにしており、エンジン高回転域でも双方のターボ９、１１によって高効率域にて過給するため、エンジン１の高出力・高トルクと低燃費とを両立できる。
【００４１】
図７に、燃費の試験結果を示す。図７中、破線２６は通常の１段式可変容量ターボによる１段過給の燃費線、一点鎖線２７は１段ターボに準じたターボ選定とバイパス弁制御をおこなった場合の２段過給の燃費線、実線２９は本実施形態に係る２段過給の燃費線を示す。
【００４２】
ここで、比較の対象となる「１段ターボに準じたターボ選定とバイパス弁制御を行った場合の２段過給」の説明図を図３に示し、その各段のコンプレッサ６、７の特性を図４に示す。図示するように、この場合、各段のコンプレッサ６、７は、低段側が高段側より修正流量が大きい点が異なるものの、基本的な特性は同様のものが用いられる。そして、低段側コンプレッサ７についても、高段側コンプレッサ６と同様にバイパス通路２９と排気バイパス弁３０とが設けられる。各排気バイパス弁２１、３０は、エンジン１の全負荷時、最大トルク点１４までは閉じられる。よって、最大トルク点１４までは、エンジン回転数の上昇（修正流量の増加）に伴って圧力比が高まる。
【００４３】
その後、エンジン１の最大トルク点１４から最高出力点１５にかけては、過給圧が略一定に維持されるように、各排気バイパス弁２１、３０が徐々に開かれ、排気ガスが各タービン３、４を迂回し、各コンプレッサ６、７の圧力比が略維持される。このシステムにおいても、各段のコンプレッサ６、７の特性は、図６に示す１段ターボの場合に準じているため、圧力比および効率の双方に妥協したものであり、エンジン全負荷時の最大トルク点１４から最高出力点１５にかけて、作動線を効率の高い領域を通過させることができない。
【００４４】
よって、図７に示すように、「１段ターボに準じたターボ選定とバイパス弁制御を行った場合の２段過給」（一点鎖線２７）は、「１段式可変容量ターボによる１段過給」（破線２６）よりも燃費は向上するものの、「本実施形態に係る２段過給」（実線２８）よりも燃費は良くならない。具体的には、実線２８と一点鎖線２７との差は、排気量２リットルの直噴ターボディーゼルエンジンの場合、１０ｇ／ＫＷｈ程度である。
【００４５】
本実施形態における燃費向上のメカニズムを図８および図９を用いて説明する。図８は１段式可変容量ターボのＰＶ線図（エンジン運転時の筒内圧力と容積との履歴を示す図）、図９は本実施形態に係る２段過給のＰＶ線図である。線図において、吸気−圧縮−膨張−排気の順に従い、∫Ｐdvなる積分値がエンジン１の出力・トルクに比例する。すなわち、時計回りのループとなる場合は出力として得ることができるが、反時計回りのループとなる場合には損失となる。
【００４６】
図８に示すように、１段式可変容量ターボの場合には、高過給時（高ブースト時）に吸気・排気工程において反時計回りのループとなって損失（ポンピングロス）が生じる。これは、１段ターボで高ブーストにすると、既述のようにターボの効率の悪い領域を使用せざるを得ず（図６参照）、吸気圧力を上げるためにより多くの仕事（シャフトトルク）をタービンに要求することとなり、排気圧が上昇するという理由による。
【００４７】
他方、図９に示すように、本実施形態に係る２段過給では、高ブースト時に吸気・排気工程においても時計回りのループとなって出力（ポンピングゲイン）が生じる。これは、本実施形態に係る２段過給で高ブーストにすると、既述のようにターボの効率の良い領域に沿って運転されるため、吸気圧力を上げるための必要動力（シャフトトルク）が小さく、タービンは少しの仕事をするだけで済み、排気圧の上昇が抑えられるという理由による。
【００４８】
以上により、本実施形態に係る２段過給は、同量の燃料でもより多くの出力を得ることができ、従って燃費は低減される。なお、「１段ターボ」でも圧力比の低い領域を使用した場合（出力・トルクが比較的低い場合）には、ポンピングゲインを得ることができるし、「１段に準じた２段過給」でも１段よりは広い運転領域でポンピングゲインを得ることができるが、「本実施形態に係る２段過給」は、それらよりも広い運転領域で、より大きなポンピングゲインを得ることができるのである。
【００４９】
また、本実施形態に係る２段過給は、高段側タービン３のみに設けた１個の排気バイパス弁２１を開閉制御することのみでターボ全体９、１１の作動を制御する。このため、実質的には可変容量でありながら、１段可変容量ターボ（ＶＧＳシステム等）と比較して構造単純で安価である。ただし、低段側タービン４にもバイパス通路およびバイパス弁を設けてもよく、さらに、高段側コンプレッサ６乃至は低段コンプレッサ７側にバイパス通路およびバイパス弁を設け、適宜切り換えてもよい。また、図２(a),(b) に示す作動線２３、２４の配置は、高段側タービン３を可変容量化すること、によっても達成できる。
【００５０】
以下に本実施形態における各段のコンプレッサ６、７の理想的な制御目標値も一例を示す。但し、必ずしもこれらの数値に限定されるものではない。
【００５１】
エンジン１の特性が、
最大トルク点１４の回転数×２＝最高出力点１５の回転数
最大トルク点１４における負荷×０．９＝最高出力点１５の負荷
の場合、
高段側コンプレッサ６は、
最大トルク点１４での圧力比×０．７＝最高出力点１５での圧力比
程度であり、
低段側コンプレッサ７は、
最大トルク点１４での圧力比×１．４＝最高出力点１５での圧力比
程度であり、
最高出力点１５での圧力比は、
高段側コンプレッサ６の圧力比×１．８５＝低段側コンプレッサ７の圧力比となるように、バイパス弁２１を制御し、且つ適当な容量のターボ９、１１を選択することが、理想的と解される。
【００５２】
【発明の効果】
以上説明したように本発明に係るディーゼルエンジンのターボチャージャーシステムによれば、簡単な構造および制御により、高出力・高トルク化と燃費向上との両立を図ることができる。
【図面の簡単な説明】
【図１】本発明の一実施形態を示すディーゼルエンジンのターボチャージャーシステムの説明図である。
【図２】図２(a) は上記ターボチャージャーシステムに用いられる高段側コンプレッサの性能特性図、図２(b) は上記ターボチャージャーシステムに用いられる低段側コンプレッサの性能特性図である。
【図３】本発明者が上記ターボチャージャーシステムと比較するために創案した１段ターボに準じたターボ選定とバイパス弁制御をおこなった場合の２段過給システムの説明図である。
【図４】図４(a) は上記２段過給システムに用いられる高段側コンプレッサの性能特性図、図４(b) は上記２段過給システムに用いられる低段側コンプレッサの性能特性図である。
【図５】従来例を示す１段過給システムの説明図である。
【図６】上記１段過給システムに用いられるコンプレッサの性能特性図である。
【図７】各過給システムの燃料消費率を比較した説明図である。
【図８】ポンピングロスを示すＰＶ線図である。
【図９】ポンピングゲインを示すＰＶ線図である。
【符号の説明】
１  ディーゼルエンジン
２  排気経路
３  高段側タービン
４  低段側タービン
５  吸気経路
６  高段側コンプレッサ
７  低段側コンプレッサ
１４  最大トルク点
１５  最高出力点
２０  バイパス通路
２１  排気バイパス弁
２２  制御部
【図１】
0003931507.tif 000002
【図２】
0003931507.tif 000003
【図３】
0003931507.tif 000004
【図４】
0003931507.tif 000005
【図５】
0003931507.tif 000006
【図６】
0003931507.tif 000007
【図７】
0003931507.tif 000008
【図８】
0003931507.tif 000009
【図９】
0003931507.tif 000010